(57)【特許請求の範囲】
【請求項１】
マウスにおける軌跡検知モジュールの高さを昇降調整するためのマウスの調整装置であって、
前記マウスの下半部にスライド可能に設けられ、底部に少なくとも１つの押圧ブロックを有するスライドベースと、
前記スライドベースの下方に位置すると共に前記マウスの前記下半部に昇降可能に設けられ、上部に前記少なくとも１つの押圧ブロックに対応して当接する少なくとも１つの突出ブロックを有し、前記軌跡検知モジュールを搭載するための搭載ベースと、
前記スライドベースに嵌設されたドライブナットと、一端が前記マウスに作動可能に露出し、他端が前記ドライブナットに回動可能に螺着されたドライブスクリューとを有する調整部材と、
を含むマウスの調整装置。
【請求項２】
前記スライドベースの前記底部には互いに平行である２つの押圧ブロックが設けられ、
前記スライドベースの上部には互いに平行である２つの突出ブロックが設けられ、
前記２つの突出ブロックは前記２つの押圧ブロックにそれぞれ対応して当接することを特徴とする請求項１に記載のマウスの調整装置。
【請求項３】
前記押圧ブロックは梯形押圧ブロックであることを特徴とする請求項１に記載のマウスの調整装置。
【請求項４】
前記突出ブロックは弧状突出ブロックであることを特徴とする請求項１に記載のマウスの調整装置。
【請求項５】
前記押圧ブロックは斜面を有し、
前記突出ブロックは前記押圧ブロックの前記斜面にスライド可能に当接する弧面を有することを特徴とする請求項１に記載のマウスの調整装置。
【請求項６】
前記スライドベースの前記突出ブロックが前記スライドベースの前記押圧ブロックに弾性的に当接するように、前記スライドベースには一端が前記スライドベースに縦方向に設けられると共に他端が前記マウスの前記下半部に縦方向に当接されている複数の弾性部材が設けられることを特徴とする請求項１に記載のマウスの調整装置。
【請求項７】
前記スライドベースには複数の貫通孔が設けられ、
前記マウスの前記下半部には前記複数の貫通孔を対応的に貫通する複数の凸柱が設けられていることを特徴とする請求項１に記載のマウスの調整装置。
【請求項８】
前記スライドベースに嵌溝が設けられ、
前記ドライブナットは前記嵌溝に嵌合されていることを特徴とする請求項１に記載のマウスの調整装置。
【請求項９】
前記搭載ベースの中央凹所には前記軌跡検知モジュールを収容するための収容部が形成されていることを特徴とする請求項１に記載のマウスの調整装置。
【請求項１０】
前記調整部材の前記ドライブスクリューの一端には、前記マウスの前記下半部に形成された位置決め用の開口構造に作動可能に露出するホイールが設けられていることを特徴とする請求項１に記載のマウスの調整装置。
【請求項１１】
前記マウス内に設けられ前記スライドベースの上方に位置する制御回路板と、前記制御回路板に設けられた圧力センサーとをさらに含むことを特徴とする請求項１に記載のマウスの調整装置。
【請求項１２】
前記搭載ベースには圧力スプリングを有するモーメントアームが外方へ水平延在して形成され、
前記圧力スプリングは、一端が前記モーメントアームに縦方向に設けられ、他端が前記圧力センサーに縦方向に当接されることを特徴とする請求項１１に記載のマウスの調整装置。
【発明の詳細な説明】
【技術分野】
【０００１】
本発明は、マウスの調整装置に関し、特にマウスにおける軌跡検知モジュールの高さを昇降調整するためのマウスの調整装置に関するものである。
【背景技術】
【０００２】
科学技術が発展しつつある現在において、パソコンまたはノードブックパソコン、タブレットコンピュータ等のコンピュータ機器、ないし各種の寸法の携帯装置は、人々が日常生活の中でレジャーや仕事に欠かせない便利なツールになっており、特にマウスは、上記機器または装置によく用いられる入力装置になっている。しかしながら、マウスは、特定ユーザ、例えばゲームプレイヤーの使用要求を十分満たしていないのが現状である。従って、現在、特定ユーザがマウスカーソル制御の感度、またはマウスの感知高さを必要（例えばワードプロセッシング、ゲームプレイ）に応じて調整できるように、特定ユーザの要求を満たすプログラマブルマウスが提案されている。ゲーム中に大幅移動や微細操作、例えば身体の方向の素早い変換、照準を移動し敵を狙う必要があることから、マウスを上げて所定の距離だけ移動させ、下げて移動し続けるため、マウスの感知高さはゲームプレイヤーにとって極めて重要である。マウスの感知高さが高すぎると、ゲームプレイヤーを十分高く上げなければ、感知し続けることによって誤判断は発生してしまう。しかしながら、ゲーム中にマウスの感知高さを調整するには、進行中のゲームから一旦離れ、ウィンドウズオペレーティングシステムを介してセッティングソフトウェアを起動し、パラメータを修正してからゲームに戻る必要があるため、ゲームは順調に進行できず、ゲームに大きく影響を及ぼす可能性がある。
【発明の概要】
【発明が解決しようとする課題】
【０００３】
本発明は、主に、ユーザの異なる制御要求に応じるために、マウスにおける軌跡検知モジュールを昇降調整する機能を有し、使用上より便利になるマウスの調整装置を提供することを目的とする。
【課題を解決するための手段】
【０００４】
本発明は、マウスにおける軌跡検知モジュールの高さを昇降調整するためのマウスの調整装置であって、マウスの下半部にスライド可能に設けられ、底部に少なくとも１つの押圧ブロックを有するスライドベースと、前記スライドベースの下方に位置すると共に前記マウスの下半部に昇降可能に設けられ、上部に前記少なくとも１つの押圧ブロックに対応して当接する少なくとも１つの突出ブロックを有し、前記軌跡検知モジュールを搭載するための搭載ベースと、前記スライドベースに嵌設されたドライブナットと、一端が前記マウスに作動可能に露出し、他端が前記ドライブナットに回動可能に螺着されたドライブスクリューとを有する調整部材と、を含むマウスの調整装置を提供する。
【発明の効果】
【０００５】
本発明に係るマウスの調整装置によれば、スライドベースがスライド可能であり、搭載ベースが昇降可能であり、スライドベースの底部における少なくとも１つの押圧ブロックが搭載ベースの上部における少なくとも１つの突出ブロックに対応して当接し、調整部材のドライブスクリューがドライブナットに回動可能に螺着されるとともに、ドライブナットがスライドベースに嵌設されることにより、調整部材のドライブスクリューがドライブナットに対して回動した場合に、ドライブナット、スライドベース及び押圧ブロックが横向きに移動するように同期的に駆動し、さらに搭載ベース及び軌跡検知モジュールが縦向きに移動するように駆動することができる。これにより、本発明のマウスの調整装置は、調整部材を回動することでスライドベースの横向きスライドを搭載ベースの縦向きスライドに変換することにより、マウスによる軌跡検知モジュールの調整機能を達成し、ユーザの異なる制御要求に応じることができる。
【図面の簡単な説明】
【０００６】
【図１】本発明に係る一実施例の立体図である。
【図２】本発明に係る一実施例の局所分解図（一）である。
【図３】本発明に係る一実施例の局所分解図（二）である。
【図４】本発明に係る一実施例の局所分解図（三）である。
【図５】本発明に係る一実施例の作動模式図（一）である。
【図６】本発明に係る一実施例の作動模式図（二）である。
【図７】本発明に係る一実施例の作動模式図（三）である。
【図８】本発明に係る他の実施例の作動模式図である。
【発明を実施するための形態】
【０００７】
図１ないし図４は、本発明の一実施例を示す。本発明に係る実施例のマウスの調整装置において、図１及び図２に示すように、マウス１０は上半部１１と下半部１２とに区画され、調整装置２０はマウス１０の下半部１２に設けられる。また、マウス１０における軌跡検知モジュール１３の高さを昇降調整するための調整装置２０及びマウス１０の移動方向及び移動距離を判定するための軌跡検知モジュール１３により、カーソルの位置決めを達成することができる。本実施例においては、軌跡検知モジュール１３の態様に限定されず、例えば光学軌跡検知モジュールであってもレーザ軌跡検知モジュールであってもよい。また、ここで注意すべき点は、マウス１０にはその他の部品、例えばホイール、押しボタン、微動スイッチ等の素子が含まれ、それぞれマウス１０の上半部１１または下半部１２に設けられている点であり、ここでは詳しい説明を省略する。この実施例の調整装置２０は、基本的にスライドベース２１と、搭載ベース２２と、調整部材２３とを含む。
【０００８】
スライドベース２１は、マウス１０の下半部１２にスライド可能に設けられ、底部２１０に少なくとも１つの押圧ブロック２１１が設けられている。この実施例において、スライドベース２１の底部２１０は、互いに平行である押圧ブロック２１１を有してもよい。好ましくは、押圧ブロック２１１は、梯形押圧ブロックであり、斜面２１１１を有する（図３参照）。
【０００９】
搭載ベース２２は、スライドベース２１の下方に位置すると共にマウス１０の下半部１２に昇降可能に設けられている。搭載ベース２２は、軌跡検知モジュール１３を搭載するためのものであり、上部２２０に押圧ブロック２１１に対応して当接する少なくとも１つの突出ブロック２２１が設けられている。この実施例において、搭載ベース２２の上部２２０は、２つの押圧ブロック２１１にそれぞれ対応して当接する互いに平行である２つの突出ブロック２２１を有する。好ましくは、突出ブロック２２１は、弧状突出ブロックであり、弧面２２１１を有する（図３参照）。
【００１０】
調整部材２３は、ドライブスクリュー２３１とドライブナット２３２とを有し、ドライブナット２３２はスライドベース２１に嵌設されており、ドライブスクリュー２３１は、一端がマウス１０に回動可能に露出し、他端がドライブナット２３２に回動可能に螺着されている。従って、調整部材２３のドライブスクリュー２３１がドライブナット２３２に対して回転した場合に、ドライブナット２３２及びスライドベース２１がドライブスクリュー２３１の軸心に沿って水平にシフトするとともに押圧ブロック２１１がスライドベース２１に従って水平にシフトすることで、押圧ブロック２１１に当接する突出ブロック２２１が縦方向にシフトさせられるように駆動し、さらに軌跡検知モジュール１３が搭載ベース２２に従って縦方向にシフトするように駆動する。以下、スライドベース２１、搭載ベース２２、調整部材２３の構造についてさらに詳しく説明するが、それらの間の接続関係及び具体的な作動については適宜後述する。
【００１１】
スライドベース２１は、多辺形の枠ベースであり、即ち互いに連結した横ビームからなる構造である。言い換えれば、スライドベース２１の押圧ブロック２１１は、横ビームの底部２１０が下方へ延在してなるものである。また、スライドベース２１に複数の貫通孔２１２が形成され、マウス１０の下半部１２に複数の凸柱１２１が形成されており、それらの凸柱１２１がそれぞれそれらの貫通孔２１２を通るため、貫通孔２１２と凸柱１２１との組み合わせにより、スライドベース２１は、マウス１０の下半部１２に安定的に水平にシフト可能であるとともに水平移動距離も制限可能になっている。また、貫通孔２１２にねじを螺設することにより、スライドベース２１は、脱出することなく、安定的に水平にシフト可能である。また、スライドベース２１に嵌溝２１３が設けられており、ドライブナット２３２は、嵌溝２１３に嵌合されている。
【００１２】
搭載ベース２２は、中央凹所に軌跡検知モジュール１３を収容するための収容部２２２が設けられており、軌跡検知モジュール１３を搭載することができる。また、搭載ベース２２には、一端が搭載ベース２２に縦方向に設けられ、他端がマウス１０の下半部１２に縦方向に当接された複数の弾性部材２２３が設けられている。好ましくは、搭載ベース２２は、搭載ベース２２の周縁の４つの隅にそれぞれ設けられた４つの弾性部材２２３を有し、それらの４つの隅には、外方へ水平に延在部２２４がそれぞれ延在形成されている。それらの弾性部材２２３は、一端が搭載ベース２２のそれらの延在部２２４にそれぞれ縦方向に設けられ、他端がマウス１０の下半部１２にそれぞれ縦方向に当接されている。従って、弾性部材２２３が圧縮された場合に搭載ベース２２が下降移動し、弾性部材２２３が開放された場合に搭載ベース２２が上昇移動することで、搭載ベース２２は、弾性部材２２３の圧縮や開放によりマウス１０の下半部１２に昇降可能に設けられるようになっている。さらに、弾性部材２２３を設けることにより、搭載ベース２２の突出ブロック２２１は、弾性部材２２３からの弾性力を介してスライドベース２１の押圧ブロック２１１に弾力的に当接可能であり、押圧ブロック２１１及び突出ブロック２２１は、互いが安定的に接触可能である。また、搭載ベース２２の周縁には複数の縦方向の案内部２２５が、マウス１０の下半部１２には複数の凹み１２２が、それぞれ形成されている。それらの案内部２２５は、それらの凹み１２２にスライド可能にそれぞれ設けられている。案内部２２５と凹み１２２との組み合わせにより、搭載ベース２２は、昇降シフトした場合に歪みや脱出することはない。
【００１３】
調整部材２３のドライブスクリュー２３１は、一端にホイール２３１１を有する。ホイール２３１１は、マウス１０の下半部１２に形成された位置決め用の開口構造１２３に回動可能に露出している。これにより、ユーザは、露出して設けられたホイール２３１１を用いて軌跡検知モジュール１３の昇降高さを調整することができる。
【００１４】
図５〜図７を参照すると同時に図１〜図４を併せて参照する。図５〜図７は、本発明の実施例におけるマウスの調整装置の作動模式図である。
【００１５】
図５に示すように、ユーザが調整部材２３のホイール２３１１を回転していない場合に、搭載ベース２２の突出ブロック２２１の弧面２２１１は、スライドベース２１の押圧ブロック２１１の斜面２１１１の中央箇所に常に当接している。この場合、搭載ベース２２に搭載された軌跡検知モジュール１３は、所定の高さ箇所に位置している。
【００１６】
図６に示すように、ユーザが調整部材２３のホイール２３１１を回転すると、ドライブスクリュー２３１が第１の回転方向Ｒ１（例えば時計方向）に沿ってドライブナット２３２に対して回転した場合に、スライドベース２１に設けられたドライブナット２３２がドライブスクリュー２３１の軸心に沿って第１の方向Ｓ１（例えば左）へ移動するとともに、押圧ブロック２１１がスライドベース２１に従って第１の方向Ｓ１へ水平にスライドするように駆動することで、搭載ベース２２の斜面２１１１に当接する突出ブロック２２１が弾性部材２２３に蓄積された弾性力を介して斜面２１１１に沿って上方へスライドシフトし、搭載ベース２２が上方へシフトするため、搭載ベース２２に搭載された軌跡検知モジュール１３は、上方へシフトすることができる。
【００１７】
図７に示すように、ユーザが調整部材２３のホイール２３１１を回転すると、ドライブスクリュー２３１が第２の回転方向Ｒ２（例えば逆時計方向）に沿ってドライブナット２３２に対して回転した場合に、スライドベース２１に設けられたドライブナット２３２がドライブスクリュー２３１の軸心に沿って第２の方向Ｓ２（例えば右）へ移動し、スライドベース２１の押圧ブロック２１１が第２の方向Ｓ２へ水平にスライドするように駆動することで、搭載ベース２２の斜面２１１１に当接する突出ブロック２２１が押圧ブロック２１１に押圧された力により押圧ブロック２１１の斜面２１１１に沿って下方へスライドシフトし、搭載ベース２２が下方へシフトするため、搭載ベース２２に搭載された軌跡検知モジュール１３は、下方へシフトすることができる。
【００１８】
従って、この実施例におけるドライブスクリュー２３１は、それぞれ第１、第２の回転方向Ｓ１、Ｓ２に沿ってドライブナット２３２に対して回転し、スライドベース２１がそれぞれドライブスクリュー２３１の軸心に沿って第１、第２の方向Ｓ１、Ｓ２へ搭載ベース２２に対して水平に軸方向シフトするように駆動することができる。また、搭載ベース２２の突出ブロック２２１の弧面２２１１がスライドベース２１の押圧ブロック２１１の斜面２１１１にスライド可能に当接するため、突出ブロック２２１と押圧ブロック２１１とが相対的にスライドした場合に、搭載ベース２２は、上方、下方へスライドベース２１に対して縦方向に軸方向シフトすることができる。これにより、軌跡検知モジュール１３の昇降高さを調整することができる。
【００１９】
図８は、本発明に係るマウスの調整装置の他の実施例を示す。この実施例のマウス１０の調整装置２０は、前の実施例と略同一である（図１ないし図４参照）。主な相違点は、調整装置２０には制御回路板２４と、制御回路板２４に設けられた圧力センサー２５とがさらに配置されている点である。圧力センサー２５は、圧電型、ピエゾ抵抗型、容量型、または金属フィルム型の圧力センサーであっても良く、それらに限定されるものではない。この実施例において、圧力センサー２５は、ピエゾ抵抗型の圧力センサーであり、制御回路板２４の底面に設けられており、制御回路板２４は、マウス１０に設けられ、スライドベース２１の上方に位置するのが好ましい。また、搭載ベース２２から外方へ圧力スプリング２２６１を有するモーメントアーム（ｍｏｍｅｎｔ ａｒｍ）２２６が延在形成しており、圧力スプリング２２６１は、一端がモーメントアーム２２６に縦方向に設けられ、他端が圧力センサー２５に縦方向に当接される。従って、ユーザが調整部材２３のホイール２３１１を回転すると、搭載ベース２２が上昇シフトまたは下降シフトした場合に、圧力スプリング２２６１は、搭載ベース２２の昇降シフトに従って圧縮または開放し、圧力スプリング２２６１の圧力センサー２５に当接するフォース値が変更し、圧力センサー２５の抵抗値が変更する。抵抗値の変更により、制御回路板２４はそれに基づいて軌跡検知モジュール１３の昇降高さを判定するとともに判定結果を表示ユニット（例えばマウスのＬＥＤ指示ライト、または内、外付け表示スクリーン等）に伝送することができる。従って、調整装置２０が機構素子と電子素子とを組み合わせた電気機械統合構成により電気機械の統合を達成することができ、本実施例に係る調整装置２０は、電気機械統合の調整装置になっている。
【００２０】
上述したものは、本発明の好ましい実施例に過ぎず、本発明の実施の範囲を限定するためのものではなく、当業者であれば、本発明の明細書及び図面内容に基づいてなされた均等な変更および付加は、いずれも本発明の特許請求の範囲内に含まれるものとする。
【符号の説明】
【００２１】
１０  マウス
１１  上半部
１２  下半部
１２１  凸柱
１２２  凹み
１２３  開口構造
１３  軌跡検知モジュール
２０  調整装置
２１  スライドベース
２１０  底部
２１１  押圧ブロック
２１１１  斜面
２１２  貫通孔
２１３  嵌溝
２２  搭載ベース
２２０  上部
２２１  突出ブロック
２２１１  弧面
２２２  収容部
２２３  弾性部材
２２４  延在部
２２５  案内部
２２６  モーメントアーム
２２６１  圧力スプリング
２３  調整部材
２３１  ドライブスクリュー
２３１１  ホイール
２３２  ドライブナット
２４  制御回路板
２５  圧力センサー
Ｒ１  第１の回転方向
Ｒ２  第２の回転方向
Ｓ１  第１の方向
Ｓ２  第２の方向
【要約】
【課題】主に、ユーザの異なる制御要求に応じるために、マウスにおける軌跡検知モジュールを昇降調整する機能を有し、使用上より便利になるマウスの調整装置を提供する。
【解決手段】マウスにおける軌跡検知モジュールの高さを昇降調整するためのマウスの調整装置であって、マウスの下半部にスライド可能に設けられ、底部に少なくとも１つの押圧ブロックを有するスライドベースと、スライドベースの下方に位置すると共にマウスの下半部に昇降可能に設けられ、上部に少なくとも１つの押圧ブロックに対応して当接する少なくとも１つの突出ブロックを有し、軌跡検知モジュールを搭載するための搭載ベースと、スライドベースに嵌設されたドライブナットと、一端がマウスに作動可能に露出し、他端がドライブナットに回動可能に螺着されたドライブスクリューとを有する調整部材と、を含むマウスの調整装置を提供する。
【選択図】図２【図１】
0005859106.tif 000002
【図２】
0005859106.tif 000003
【図３】
0005859106.tif 000004
【図４】
0005859106.tif 000005
【図５】
0005859106.tif 000006
【図６】
0005859106.tif 000007
【図７】
0005859106.tif 000008
【図８】
0005859106.tif 000009